(57)【要約】【課題】  スイッチを新たに追加することなく、モード設定スイッチをオン操作して、固定型のテレビ受信装置で２つのチャンネルの番組を交互に見ることが可能な機能を付加する。【解決手段】  携帯電話装置のＣＰＵ１０７は、決定スイッチ６ｅによって通常受信モードが設定されている場合には、チャンネル選択スイッチ６ｃ、６ｄが操作されたときは、その操作に応じて受信するテレビ放送のチャンネルを選択し、決定スイッチ６ｅによって連結受信モードが設定されている場合には、外部のテレビ受信装置２が音声を消音するための無線信号を送信し、チャンネル選択スイッチ６ｃ、６ｄが操作されたときは、その操作に応じて受信するテレビ放送のチャンネルを選択すると同時に、その操作に応じて外部のテレビ受信装置２が受信するテレビ放送のチャンネルを選択するための無線信号を送信する。【選択図】    図２
2009027573.tif 000002
【特許請求の範囲】
【請求項１】
テレビ放送を受信する携帯端末装置であって、
受信するテレビ放送の画像を表示する表示部と、
外部のテレビ受信装置を制御するための無線信号を送信する無線送信部と、
テレビ放送のチャンネルを操作に応じて選択する第１系統のチャンネル選択スイッチと、
テレビ放送のチャンネルを操作に応じて選択する第２系統のチャンネル選択スイッチと、
通常受信モード及び２系統受信モードのいずれか一方を操作に応じて決定する決定スイッチと、
前記決定スイッチによって前記通常受信モードが決定された場合には、前記第１系統のチャンネル選択スイッチ又は前記第２系統のチャンネル選択スイッチの操作に応じて受信するテレビ放送のチャンネルを選択して当該選択に係るテレビ放送の画面を前記表示部に表示し、前記２系統受信モードが決定された場合には、前記第１系統のチャンネル選択スイッチの操作に応じて選択されたチャンネルのテレビ放送を受信して当該選択に係るテレビ放送の画面を前記表示部に表示し、前記第２系統のチャンネル選択スイッチの操作に応じて前記外部のテレビ受信装置が受信するテレビ放送のチャンネルを選択するための無線信号を前記無線送信部から送信させ、前記２系統受信モードにおいて前記決定スイッチが操作される毎に、前記外部のテレビ受信装置が受信中のテレビ放送のチャンネルを選択すると共に受信中のテレビ放送のチャンネルを前記外部のテレビ受信装置が選択するための無線信号を前記無線送信部から送信させる制御部と、
を備えたことを特徴とするテレビ放送を受信する携帯端末装置。
【請求項２】
１フレーム以上の静止画の画像データを記憶する画像メモリ回路をさらに備え、前記制御部は、前記第２系統のチャンネル選択スイッチの中の特定のスイッチが操作されたときは、前記外部のテレビ受信装置が受信中のテレビ放送と同一のテレビ放送を受信してその静止画の画像データを前記画像メモリ回路に記憶し、その記憶が終了したときは当該特定のスイッチが操作される前に受信していたテレビ放送を再び受信することを特徴とする請求項１に記載のテレビ放送を受信する携帯端末装置。
【発明の詳細な説明】
【技術分野】
【０００１】
本発明は、テレビ放送を受信する携帯端末装置に関するものである。
【背景技術】
【０００２】
日本国内において、２０１１年からは、これまで放送されていたすべてのアナログ地上波放送が地上波デジタル放送に切り替わる。この地上波デジタル放送では、ＯＦＤＭ（直交周波数分割多重）方式によって、映像情報、音声情報、および文字情報の複数種類の情報を多重化して、約６ＭＨｚの帯域を１３セグメントに分割して伝送する。この１３セグメントの中から１０セグメント乃至１３セグメントを用いて、表示画面が大きい固定型のテレビ受信装置に対する高精細・高画質のＨＤＴＶ（ハイビジョンテレビ放送）を送信する。さらに、１３セグメントの中の１セグメントを用いて、携帯電話装置、ＰＤＡ（Personal Digital Assistants）、可搬型のテレビ受信装置、カーナビなどの表示画面が小さい移動体向けの地上波デジタル放送が予定されている。特に、１セグメントの地上波デジタル放送を受信する携帯電話装置は、いわゆる「ワンセグ」携帯電話装置として既に商品化されて販売されている。
【０００３】
テレビ放送に関連する携帯端末装置については、これまで多くの提案がなされている。
例えば、ある提案のリモコン装置においては、ケーブルによってヘッドホン装置とテレビ受信装置とを接続することなく、且つ、音質の劣化が生じる赤外線による無線信号を使用しないようにするために、テレビジョン受像機を操作するリモコン装置に、テレビジョン受信チューナとスピーカなどの音響変換機を内蔵して、視聴するテレビジョン受信機が受信する放送チャンネルと同じチャンネルを受信し、復調した音響信号をリモコン装置内蔵の音響変換器から発音する。この場合において、地上波デジタル放送を受信する携帯電話機にテレビジョン受信機用リモコンを内蔵すれば、音響信号出力のみを聴取し、映像はテレビジョン受信機の大型ディスプレイで見ることができると記載されている。（特許文献１参照）
【０００４】
また、ある提案の携帯電話装置においては、ＥＰＧ（電子プログラムガイド）を用いることなく、携帯電話に装備されているダイヤルプッシュボタンをテレビ番組の選局に用いる構成とすることで、効率よい他チャンネルの選択と、現在の番組視聴を妨げることなく他チャンネルのテレビ番組を得るために、携帯電話送受信波と地上波デジタル放送波を送受信するアンテナ部と、前記アンテナ部で受信した前記地上波デジタル放送波を受信する受信部と、テレビ番組を表示することができるディスプレイ部と、数値又は記号を含む番号を入力することができる入力ボタンと、テレビ番組の選局の制御を行う携帯テレビ制御部と、携帯電話を送受信するモードとテレビ番組を視聴するモードを切換えるためのモード切換え制御手段と、を備え、前記入力ボタンが、前記モード切換え制御手段により、前記テレビ番組を視聴するモードにある場合に、前記テレビ番組のチャンネル選局ボタンとして使用される。この場合において、さらに、前記入力ボタンが、２段階押しができる入力ボタンと、前記ディスプレイの空きスペース、又は現在視聴している映像の端部に情報表示部と、を備え、前記情報表示部は、前記入力ボタンを半押ししたときに、現在放送している番組の情報を前記ディスプレイの空きスペース、又は現在視聴している映像の端部に表示し、ユーザに知らせ、ボタンが全押しされたらそのチャンネルを受信する裏番組を確認する構成になっている。（特許文献２参照）
【０００５】
また、ある提案の無線通信端末装置においては、その無線通信端末装置を通常のＴＶリモコンとして使用したときに、音声だけを無線通信端末装置から出力するために、無線通信端末装置がＴＶ（テレビ）受信機能と、赤外線によって外部のＴＶ受信装置を操作するＴＶリモコン機能とを備え、通常リモコンモード又はイヤホンモードで使用できることが記載されている。イヤホンモードで使用した場合には、端末側では画像表示を行わずＴＶ画像は外部のＴＶ受信装置で確認し、音声だけをレシーバ側より出力させる構成になっている。（特許文献３参照）
【０００６】
また、ある提案の映像音声再生装置においては、テレビの画面以外にリモコンにも画面を実装し、２つの画面の表示内容をリモコンで簡単に制御するために、特に、図４乃至図９に示されているように、外部のテレビ受信装置の主画面４０２を遠隔操作で制御するためのリモコン４０３の特徴的な構成が記載されてある。すなわち、リモコン４０３は、独立スイッチ４０７、同期スイッチ４０８、上下左右決定スティック４０９、ダイレクト選択ボタン４１０、チャンネルアップダウンスイッチ４１１、及び副画面４１４を備えている。ダイレクト選択ボタン４１０、チャンネルアップダウンスイッチ４１１は、主画面４０２のチャンネルを選択するためのスイッチである。一方、上下左右決定スティック４０９は、図１０に示されているように、副画面４１４に表示されるＧＵＩなどを操作するスイッチである。ユーザは、副画面４１４に表示されている画像を上下左右決定スティック４０９により選択し、同期スイッチ４０８をオンにすることで、副画面４１４の画像を主画面４０２に表示できるようになっている。この場合において、ダイレクト選択ボタン４１０及びチャンネルアップダウンスイッチ４１１は主画面専用のスイッチであり、上下左右決定スティック４０９は副画面専用のスイッチである。（特許文献４参照）
【０００７】
また、市販されているある携帯電話装置の取扱説明書においては、受信するテレビのチャンネルを選択する場合に、テンキー及び順送りキーのいずれかの操作によって、受信するデジタルテレビのチャンネルを直接又は順次選択できることが記載されている。（非特許文献１参照）
【０００８】
また、ある特許発明のリモコン装置においては、電力消費の無駄や受像管の寿命低下を招くことなく、所望の番組の見たい場面を簡単確実に選択表示するために、大型テレビ１０の構成（図１）及びリモコン装置２０の構成（図２、図６）が記載されてある。リモコン装置２０のキー入力部２２には、図６に示されているように、モード切換えスイッチ２２ａ、チャンネル選択キー（テンキー）２２ｃ、チェンジキー２２ｆが設けられている。モード切換えスイッチ２２ａは、大型テレビ１０に対して各種リモコン信号を送信するためのリモコンモードＲＣと、リモコン側テレビによる放送受信動作を操作するためのテレビモードＬＣＤ・ＴＶとを切り換えるものである。チェンジキー２２ｆは、リモコン装置２０に表示されているテレビ放送を大型テレビ１０で見るときに操作されるスイッチである。（特許文献５参照）
【０００９】
また、ある提案のＴＶ受信及びリモコン機能付き携帯電話機においては、図２及び図４に示されているように、携帯電話機１０の表示部１４に１２チャンネル分のテレビ放送の全ての画面をサムネイル表示し、操作部１５の「１」〜「０」のボタンを操作するか、あるいは、方向選択ボタン１５−１を操作して所望のチャンネルに合わせた後、決定ボタン１５−２を操作することにより、外部のテレビ受信装置３０に表示されるテレビ放送のチャンネルを選択する構成になっている。（特許文献６参照）
【００１０】
一方、近年においては、携帯端末装置に内蔵したフラッシュメモリなどの書き替え可能な記憶手段のソフトウェアのプログラムを変更する提案がなされており、製品が完成した後、及び、販売された後においても、プログラムの変更や追加によって新たなアプリケーションを実現することで、現在のハードウェア資源を有効に活用することができる。（特許文献７及び８参照）
【特許文献１】特開２００５−１１０１８９号公報
【特許文献２】特開２００５−０４５３５０号公報
【特許文献３】特開２００５−０８００２２号公報
【特許文献４】特開２００３−３３３３６２号公報
【特許文献５】特許第３２８９３８８号（特開平０６−３０３４５２号公報）
【特許文献６】特開２００５−１５０８３１号公報
【特許文献７】特開平１０−１７４１３１号公報
【特許文献８】実開平０５−０５７９４５号公報
【非特許文献１】ＦＯＭＡ  Ｐ９０１ｉＴＶ、ＮＴＴ  ＤｏＣｏＭｏグルー、第５版、２００６年８月
【発明の開示】
【発明が解決しようとする課題】
【００１１】
しかしながら、上記特許文献１〜特許文献６及び非特許文献１に記載された発明及び技術においては、現在市場に出ている製品に大幅な変更を加えることなく、外部のテレビ受信装置によって所望のチャンネルの番組を見ながら、手元の携帯端末装置によって他のチャンネルの番組の内容をチェックして、外部のテレビ受信装置が受信するチャンネルと携帯端末装置が受信するチャンネルとを入れ替えることはできない。このため、上記特許文献５及び６のように、プログラムを格納するメモリをフラッシュメモリなどの書き換え可能な不揮発性メモリで構成した場合でも、現在のハードウェア資源を有効に活用することができない。すなわち、現在の携帯端末装置に具備されている機能を活用する中で、外部のテレビ受信装置によって所望のチャンネルの番組を見ながら、手元の携帯端末装置によって他のチャンネルの番組の内容をチェックして、外部のテレビ受信装置が受信するチャンネルと携帯端末装置が受信するチャンネルとを入れ替えるようにはなっていない。
【００１２】
例えば、特許文献１においては、課題を解決する手段の項において、地上波デジタル放送を受信する携帯電話機にテレビジョン受信機用リモコンを内蔵すれば、音響信号出力のみを聴取し、映像はテレビジョン受像機の大型ディスプレイで見ることになると記載されているが、実施形態においてその構成が具体的に記載されてはおらず、単に願望が記載されているに過ぎない。
【００１３】
また、特許文献２においては、２段押しができる入力ボタンが記載されているが、このためにはスイッチの構成を変更する必要があるので、現在のハードウェア資源を有効に活用することができない。さらに、スイッチの押下ストロークが大きくなるので、装置の薄型化の障害になるという新たな課題が発生する。さらにまた、「２段押し」の微妙な操作が必要であるため、使用者が若者等に限定されてしまう。
【００１４】
また、特許文献３においては、無線通信端末装置がテレビ受信機能と、外部のテレビ受信装置を操作するリモコン機能とを備え、リモコンモードの場合には音声だけを無線通信端末装置から出力することが記載されているが、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１５】
また、特許文献４においては、外部のテレビの画面及びリモコンの画面の表示内容をリモコンで簡単に制御するために、通常のダイレクト選択ボタン及びチャンネルアップダウンスイッチの他に、同期スイッチ、及び、上下左右決定スティックを設けなければならず、現在市場に出ている製品に大幅な変更を加えることになる。すなわち、特許文献４においては、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１６】
また、非特許文献１においては、従来の携帯電話装置やリモコン装置と同様に、テンキー及び順送りキーのいずれかの操作によって、受信するデジタルテレビのチャンネルを選択できることが記載されているが、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１７】
また、特許文献５においては、大型テレビに対して各種リモコン信号を送信するためのリモコンモードと、リモコン側テレビによる放送受信動作を操作するためのテレビモードとを切り換えるためにモード切換えスイッチが必要である上に、リモコン装置に表示されているテレビ放送を大型テレビで見るときに操作するチェンジキーが必要である。したがって、現在市場に出ている製品に大幅な変更を加えることになり、現在のハードウェア資源を有効に活用することができない。
さらに、この特許文献５においては、図７、図８、及び図９のフローチャートによれば、チェンジキー２２ｆを操作してリモコン装置２０で受信中のチャンネルと大型テレビ１０で受信中のチャンネルとを一度入れ替えた後は、再びチェンジキーを操作してもチャンネルの入れ替えは行われない。再度のチャンネルの入れ替えをするためには、ユーザはモード切換スイッチ２２ａ及びテンキースイッチ２２ｃを操作する必要がある。これは、特許文献５の課題が、電力消費の無駄や受像管の寿命低下を招くことなく、所望の番組の見たい場面を簡単確実に選択表示することにあり、本願発明の課題のように、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替えることではないので当然であると言える。
すなわち、特許文献５においては、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１８】
また、特許文献６においては、方向選択ボタン（カーソルスイッチ）を操作して所望のチャンネルに合わせた後、決定ボタン（決定スイッチ）を操作することにより、スイッチを新たに追加すること又はスイッチの構造を変更することなく、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替える構成にはなっていない。
【００１９】
本発明は、上記従来の課題を解決するものであり、スイッチを新たに追加すること又はスイッチの構造を変更することなく、現在のハードウェア資源を有効に活用して、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替えることを可能にすることを目的とする。
【課題を解決するための手段】
【００２０】
本発明のテレビ放送を受信する携帯端末装置（実施形態においては、図１の携帯電話装置１に相当する）は、受信するテレビ放送の画像を表示する表示部（実施形態においては、図２の表示部４に相当する）と、外部のテレビ受信装置（実施形態においては、図１のテレビ受信装置２に相当する）を制御するための無線信号を送信する無線送信部（実施形態においては、図５の赤外線通信部１１１に相当する）と、テレビ放送のチャンネルを操作に応じて選択する第１系統のチャンネル選択スイッチ（実施形態においては、図２のカーソルスイッチ６ｃ、６ｄに相当する）と、テレビ放送のチャンネルを操作に応じて選択する第２系統のチャンネル選択スイッチ（実施形態においては、図２のテンキースイッチ５ａに相当する）と、通常受信モード（第２実施形態における通常受信モードに相当する）及び２系統受信モード（第２実施形態における２系統受信モードに相当する）のいずれか一方を操作に応じて決定する決定スイッチ（実施形態においては、図２の決定スイッチ６ｅに相当する）と、決定スイッチによって通常受信モードが決定された場合には、第１系統のチャンネル選択スイッチ又は第２系統のチャンネル選択スイッチの操作に応じて受信するテレビ放送のチャンネルを選択して当該選択に係るテレビ放送の画面を表示部に表示し、２系統受信モードが決定された場合には、第１系統のチャンネル選択スイッチの操作に応じて選択されたチャンネルのテレビ放送を受信して当該選択に係るテレビ放送の画面を前記表示部に表示し、前記第２系統のチャンネル選択スイッチの操作に応じて外部のテレビ受信装置が受信するテレビ放送のチャンネルを選択するための無線信号を無線送信部から送信させ、連結受信モードにおいて決定スイッチが操作される毎に、前記外部のテレビ受信装置が受信中のテレビ放送のチャンネルを選択すると共に受信中のテレビ放送のチャンネルを外部のテレビ受信装置が選択するための無線信号を無線送信部から送信させる制御部（実施形態においては、図５のＣＰＵ１０７に相当する）と、を備えたことを特徴とする。
【発明の効果】
【００２１】
本発明の携帯端末装置によれば、スイッチを新たに追加すること又はスイッチの構造を変更することなく、現在のハードウェア資源を有効に活用して、外部のテレビ受信装置によって所望のチャンネルの番組を見ながら、手元の携帯端末装置によって他のチャンネルの番組の内容をチェックして、所定のスイッチを操作する毎に、外部のテレビ受信装置が受信するチャンネルと携帯端末装置が受信するチャンネルとを入れ替えることを可能にするという効果が得られる。
【発明を実施するための最良の形態】
【００２２】
以下、本発明によるテレビ放送を受信する携帯端末装置の第１実施形態及び第２実施形態について、地上波デジタル放送を受信する携帯電話装置を例にとって、図を参照して説明する。
【００２３】
図１は、各実施形態の携帯電話装置を適用したシステム構成を示す図である。図１において、携帯電話装置１は固定型のテレビ受信装置２に対して赤外線ＩＲによる無線信号を送信して、テレビ受信装置２のチャンネル選択や音量調整を制御する。テレビ受信装置２には、左右の２つのスピーカ２ａ、赤外線検出センサ２ｂ、ブラウン管、液晶表示装置又はプラズマ表示装置の表示部３が設けられている。表示部３には、携帯電話装置１からのチャンネル選択や音量調整に応じて、一時的あるいは常時、現在受信しているチャンネル番号３ａやスピーカ２ａから発音される現在の音量３ｂが表示される。
【００２４】
図２は、図１の携帯電話装置１の正面図、図３は図１の携帯電話装置１の側面図である。この携帯電話装置１は、下部本体１Ａに結合されている上部本体１Ｂが矢印で示すようにスライドする構造になっている。上部本体１Ｂを図の下方に最大までスライドすると、下部本体１Ａと上部本体１Ｂとが重なり合う。上部本体１Ｂを図の上方に最大までスライドすると図２に示すように下部本体１Ａの操作部が露出する状態になる。
【００２５】
図２において、上部本体１Ｂには液晶表示装置やプラズマ表示装置等からなる表示パネル４が設けられ、初期画面、メニュー画面、地上波デジタル放送の受信画面、電話やメールに関する画面が表示される。下部本体１Ａには、下スイッチ５が設けられている。下スイッチ５は、「０」〜「９」のテンキースイッチ５ａ、シャープ「＃」スイッチ５ｂ、アスタリスク「＊」スイッチ５ｃが設けられている。一方、上部本体１Ｂの表示パネル４の下側には、カーソルスイッチ６ａ、カーソルスイッチ６ｂ、カーソルスイッチ６ｃ、カーソルスイッチ６ｄ、決定スイッチ６ｅ、の他に４個のスイッチ６ｆ、６ｇ、６ｈ、６ｉからなる上スイッチ６が設けられている。また、表示パネル４の上側には、地上波デジタル放送を受信中であることを示すＬＥＤなどからなるランプ７が設けられている。また、図３において、下部本体１Ａの側面には、イヤホンコネクタ８が設けられている。
【００２６】
電話モードにおいては、上スイッチ６のメニュースイッチ６ｈは「メール」、「電話帳」、「電話履歴」、「カメラ」、「テレビ受信」、「画像再生」及び図に示すような、その他のアイコンのメニュー画面を表示するスイッチとして機能する。下スイッチ５の「１」〜「０」のテンキーは電話番号、メールの文字、パスワード、及び、その他の数値データを入力するスイッチとして機能する。また、上スイッチ６において、スイッチ６ｆは電源オン又はオフ及びオンフックとして、スイッチ６ｇはオフフックとして、スイッチ６ｉはクリアスイッチとしてそれぞれ機能する。カーソルスイッチ６ａ、カーソルスイッチ６ｂ、カーソルスイッチ６ｃ、カーソルスイッチ６ｄは表示パネル４に表示されたアイコンを選択するために、それぞれ左移動、右移動、上移動、下移動の選択スイッチとして機能する。決定スイッチ６ｅは、カーソルスイッチで選択されたアイコンを決定する決定スイッチとして機能する。
【００２７】
一方、テレビ受信モードにおいては、下スイッチ５の「０」〜「９」のテンキー５ａは受信するチャンネルを選択するスイッチとして機能し、シャープ「＃」スイッチ５ｂは出力する音量レベルを１つ上げるスイッチとして機能し、アスタリスク「＊」スイッチ５ｃは出力する音量レベルを１つ下げるスイッチとして機能する。上スイッチ６のメニュースイッチ６ｆはテレビ受信モードから電話モードに遷移するスイッチとして機能する。上スイッチ６のカーソルスイッチ６ａはイヤホンコネクタ８から出力する音量を１ステップ上げるスイッチとして機能し、カーソルスイッチ６ｂはイヤホンコネクタ８から出力する音量を１ステップ下げるスイッチとして機能する。カーソルスイッチ６ｃは受信チャンネルを１つ上げるスイッチとして機能し、カーソルスイッチ６ｄは受信するチャンネルを１つ下げるスイッチとして機能する。決定スイッチ６ｅはテレビ受信モードを通常受信モード、連結受信モード、及び２系統受信モードの中から、いずれか１つの受信モードを決定する決定スイッチとして機能すると共に、他の用途のスイッチとして機能する。通常受信モード、連結受信モード、２系統受信モード及び、他の用途については後述する。
【００２８】
さらに、カメラモードにおいては、決定スイッチ６ｅは撮像スイッチ（シャッタスイッチ）及び撮像した画像を保存するための保存スイッチとして機能する。
【００２９】
このように、テレビ受信モードにおいては、下部本体１Ａの下スイッチ５の操作によって受信するチャンネルを直接選択できると共に、上部本体１Ｂのカーソルスイッチ６ｃ及びカーソルスイッチ６ｄによっても受信するチャンネルを順次選択できる。すなわち、受信するチャンネルを選択するスイッチには、上部本体１Ｂの所定のスイッチで構成される第１系統のチャンネル選択スイッチと、下部本体１Ａの所定のスイッチで構成される第２系統のチャンネル選択スイッチとが設けられている。
【００３０】
図４は、図１の携帯電話装置１の内部構成を示す概略ブロック図である。この携帯電話装置１は、再生系すなわちＴＶ部および制御系で構成されている。
【００３１】
まず、ＴＶ部について説明する。図１において、受信回路１０１は、アンテナから入力された高周波信号を増幅し、制御系からのチャンネル選択コマンドに応じて特定の放送局の高周波信号を選択して、復調・復号回路１０２に入力する。復調・復号回路１０２は、ＯＦＤＭ変調された高周波信号を復調し、さらに、ベースバンド信号に復号化して、番組放送の映像情報、音声情報、およびデータ放送の文字情報に分離して、分離した映像情報及び文字情報を画像処理回路１０３に入力し、分離した音声情報を音声処理回路１０４に入力する。
【００３２】
画像処理回路１０３は１フレーム（１画面）分のＶＲＡＭ（ビデオメモリ）を有し、映像情報及び文字情報に対して色・輝度分離処理、その他の処理を施して、ＶＲＡＭにおいて１フレームのビットマップの画像データに展開し、表示駆動回路１０５に入力する。表示駆動回路１０５は、そのビットマップの画像データに応じた表示駆動信号を図１の表示パネル４に入力して表示させる。
【００３３】
音声処理回路１０４は、音声情報を２系統のステレオ信号に分離し、そのステレオ信号をデジタルからアナログに変換して音声増幅回路１０６に入力する。音声増幅回路１０６は、音量調整のスイッチ操作に応じた利得制御処理、フィルタ処理、増幅処理などを施して、イヤホンコネクタ８から図４に示したステレオイヤホン９に対して出力する。
【００３４】
次に、制御系について説明する。図４において、ＣＰＵ１０７は、システムバスを介して上記のＴＶ部と接続されるとともに、ＲＯＭ１０８、ＲＡＭ１０９、スイッチ部１１０、赤外線通信部１１１、画像記憶部１１２、電話部１１３、ランプ駆動回路１１４、カメラ部１１５、及び、図示しない外部インタフェース部（Ｉ／Ｆ）と接続されており、各部との間でデータおよびコマンドを授受しながらこの装置全体を制御する。ＴＶ部に対するＣＰＵ１０７の制御としては、例えば、スイッチ操作に応じて、表示駆動回路１０５のバイアス電流をオン又はオフにして動作又は動作停止を制御して、表示パネル４に画像を表示し又は表示されている画像を消去する。また、スイッチ操作に応じて、音声増幅回路１０６に対する利得制御を行う。
【００３５】
ＲＯＭ１０８は、フラッシュメモリなどの書き換え可能な不揮発性メモリで構成され、ＣＰＵ１０７によって実行される電話モードのプログラム、テレビ受信モードのプログラム、その他のアプリケーションプログラム、及び、電源起動時の初期データをあらかじめ記憶している。ＲＡＭ１０９はＣＰＵ１０７のワークエリアであり、ＣＰＵ１０７によって処理されるデータを一時的に記憶するために、各種のレジスタやフラグなどが設けられている。スイッチ部１１０は、図１に示した下部本体１Ａの下スイッチ５、上部本体１Ｂの上スイッチ６、図示しない他のスイッチ、及び、操作検出回路（スキャン・マトリックス回路）などで構成されている。
【００３６】
赤外線通信部１１１は、固定型のテレビ受信装置２を制御するために赤外線の無線信号を送信する。なお、赤外線通信部１１１の代わりにブルートゥース（登録商標）通信部を設けてもよい。
【００３７】
画像記憶部１１２は、複数フレーム、例えば、５１２フレームの画像メモリ回路を有し、画像録画のスイッチ操作に応じて、受信している地上波デジタル放送の１フレームの画像データを画像処理回路１０３のＶＲＡＭから取り込んで静止画として画像メモリ回路に記憶する。ノイズ低減回路については後で詳述する。記憶した画像は、図１のメニュー画面において、画像再生のアイコンを選択することで、表示パネル４に１フレーム単位及びマルチフレームで表示することができる。
【００３８】
電話部１１３は、ＣＤＭＡ方式の電話回路、マイクロフォン、スピーカを有し、他の携帯電話装置との間で電話やメールの送受信を行うと共に、画像記憶部１１２に記憶された静止画を無線で送信することができる。
【００３９】
外部インタフェース部は、例えば、ビデオプリンタやパソコンなどの外部機器に接続できるＵＳＢインタフェースで構成され、画像再生のモードにおいて、画像転送のスイッチ操作に応じて、画像記憶部１１２に記憶された静止画を選択して外部機器に転送することができる。
【００４０】
カメラ部１１５は、図１のメニュー画面においてカメラモードが選択・決定されたときに、スルー画像を画像処理回路１０３に入力し、表示駆動回路１０５を介してそのスルー画像を表示パネル４に表示させると共に、撮像指令のスイッチ操作に応じて、表示パネル４に表示されているスルー画像を画像処理回路１０３のＶＲＡＭに一時的に記憶し、さらに、保存指令のスイッチ操作に応じて、ＶＲＡＭに一時的に記憶した１フレームの画像を静止画として画像記憶部１１２に保存する。
【００４１】
図２に示した携帯電話装置１の表示パネル４に表示された選択アイコンの中からテレビ受信が決定スイッチ６ｅの操作によって決定された場合には、上記したように、通常受信モード、連結受信モード、２系統受信モードの受信モードの選択アイコンが表示される。図５は、表示パネル４に表示された受信モードの選択アイコンを示す図である。これら３つの受信モードの中から、カーソルスイッチ６ａ等及び決定スイッチ６ｅの操作に応じて、いずれか１つの受信モードが選択されることになる。図５（Ａ）は連結受信モードがカーソルスイッチで選択された状態を示し、図５（Ｂ）は２系統受信モードがカーソルスイッチで選択された状態を示している。
以下、第１実施形態においては、通常受信モード又は連結受信モードのいずれか一方が決定される場合の動作を説明し、第２実施形態においては、通常受信モード又は２系統受信モードのいずれか一方が決定される場合の動作を説明する。
【００４２】
まず、第１実施形態における携帯端末装置１について説明する。第１実施形態の携帯端末装置１は、ヘッドホン装置に着脱可能に装着して使用する。図６は、そのヘッドホン装置Ｈ２１の外観図であり、図６（Ａ）は携帯電話装置１を装着する前の状態を示し、図５（Ｂ）は携帯電話装置１を装着した状態を示している。図６（Ａ）及び図６（Ｂ）に示すように、このヘッドホン装置Ｈ２１は、左右のスピーカＨ２７を支持すると共に、湾曲した支持部材Ｈ２８が設けられている。この支持部材Ｈ２８の所定位置には、図１の携帯電話装置１を着脱可能に装着する装着部Ｈ２２が設けられている。図６（Ａ）において、装着部Ｈ２２には、装着された携帯電話装置１を固定するためのフックＨ２３及びスプリング式の可動片Ｈ２４が設けられ、さらに、携帯電話装置１のイヤホンコネクタ８に接続するための接続手段であるケーブルＨ２５及びコネクタＨ２６が設けられている。なお、接続手段の構成は、図６に限定されるものではない。例えば、携帯電話装置１のイヤホンコネクタ８と直接接続する構造のコネクタにしてもよい。
【００４３】
携帯電話装置１が装着部Ｈ２２に装着された場合には、コネクタＨ２６が携帯電話装置１のイヤホンコネクタ８に接続されるので、携帯電話装置１のイヤホンコネクタ８から出力される地上波デジタル放送の音声をヘッドホン装置Ｈ２１のスピーカＨ２７から聞くことができる。この場合において、図５（Ｂ）に示すように、装着された携帯電話装置１の上スイッチ６を操作する際に、ある程度操作に習熟すれば、頭にヘッドホン装置Ｈ２１を付けた状態でも、図１の固定型のテレビ受信装置２のチャンネル選択、ヘッドホン装置Ｈ２１の音量調整、及び、固定型のテレビ受信装置２の表示部３に表示された画像を図５の画像記憶部１１２に記憶することができる。
【００４４】
なお、ヘッドホン装置Ｈ２１に装着するのは携帯電話装置１に限定されず、他の携帯端末装置でもよい。例えば、携帯型のオーディオ装置や携帯型のラジオ受信装置でもよい。すなわち、装着部Ｈ２２のフックＨ２３及びスプリング式の可動片Ｈ２４に装着可能なように、オーディオ装置やラジオ受信装置の形状を携帯電話装置１の形状に合わせる構造にすればよい。もっとも将来においては、携帯電話装置にオーディオ装置やラジオ受信装置の機能を持たせた複合的な携帯端末装置が実現するであろう。このような複合的な携帯端末装置に対しては、この実施形態は著しい効果を呈することは明らかである。
【００４５】
また、上記第１実施形態の図６示したヘッドホン装置Ｈ２１の構造は一例に過ぎず、図６の構造に限定されるものではない。要は、装着した携帯電話装置１の操作が可能で、且つ、外部のテレビ受信装置に対して赤外線又はブルートゥース（登録商標）などの無線信号によって指令を送信できる構成であればよい。例えば、図７に示す変形例のように、ヘッドホン装置Ｈ２１の支持部材Ｈ２８と装着部Ｈ２２とが図５に示すように並行でなく、直交するような構造でもよい。
【００４６】
次に、第１実施形態の動作について、図８、図９のフローチャートを参照して説明する。電源スイッチがオン操作されて携帯電話装置１が起動すると、ワークＲＡＭ１０９のレジスタやフラグをクリアするなどの所定のイニシャライズの後、図８において、初期画面を表示する（ステップＳＡ１）。次に、メニュースイッチ６ｈがオンされたか否かを判別し（ステップＳＡ２）、このスイッチがオンされたときは、メニュー画面を表示する（ステップＳＡ３）。メニュー画面には、図１の表示パネル４に示すような複数のアイコンが表示される。
【００４７】
表示されているメニュー画面において、テレビ受信のアイコンを選択するスイッチ操作がされたか否かを判別し（ステップＳＡ４）、これらのスイッチ操作がされない場合には、他のアイコンを選択するスイッチ操作がされたか否かを判別し（ステップＳＡ５）、いずれかのアイコンを選択するカーソルスイッチ６ａ等のスイッチ操作がされたときは、そのスイッチ操作に対応する処理を実行する（ステップＳＡ６）。すなわち、選択されたアイコンの表示色等の表示態様を変える。
【００４８】
ステップＳＡ４において、テレビ受信のアイコンを選択するスイッチ操作がされ、決定スイッチ６ｅの操作によってテレビ受信のアイコンが決定されたときは、テレビ受信モードに移行して、図４のＴＶ部を通じて得られるテレビ画面を表示パネル４に表示する（ステップＳＡ７）。上記したように、テレビ受信モードにおいては、上スイッチ６のカーソルスイッチ６ｃ及びカーソルスイッチ６ｄは、チャンネル選択スイッチとして機能する。また、上スイッチ６のカーソルスイッチ６ａ及びカーソルスイッチ６ｂ並びに下スイッチ５のシャープ「＃」スイッチ５ｂ及びアスタリスク「＊」スイッチ５ｃは、音量調整のスイッチとして機能する。また、スイッチ６の決定スイッチ６ｅは、通常受信モード又は２系統受信モードを操作に応じて決定する。
【００４９】
次に、下スイッチ５のシャープ「＃」スイッチ５ｂ及びアスタリスク「＊」スイッチ５ｃ、並びに、上スイッチ６のカーソルスイッチ６ａ及びカーソルスイッチ６ｂのいずれか音量変更のスイッチがオンされたか否かを判別し（ステップＳＡ８）、音量変更のスイッチ操作がされたときは、図４の音声増幅回路１０６に対して音量調整の制御信号を入力して、図２のコネクタ８から出力されて図５のヘッドホン装置Ｈ２１のスピーカＨ２７によって発音される音量を変更する（ステップＳ９）。
【００５０】
次に、モード設定スイッチすなわち上スイッチ６の決定スイッチ６ｅが所定時間以上オンされたか否かを判別する（ステップＳＡ１０）。所定時間としては、例えば、「３秒間」である。所定時間以上このスイッチがオンされたときは、ＲＡＭ１０９のモードフラグＭＯＤＥＦの値が「０（通常受信モード）」であるか又は「１（連結受信モード）」であるかを判別する（ステップＳＡ１１）。なお、イニシャライズにおいては、ＭＯＤＥＦの値は「０」である。ステップＳＡ１１において、ＭＯＤＥＦの値が「０」である場合には、ＭＯＤＥＦを「１」にセットして（ステップＳＡ１２）、表示駆動回路１０５のバイアス電流をオフにする制御信号を入力して、表示パネル４のテレビ画面を消去し（ステップＳＡ１３）、赤外線通信部１１１から固定型のテレビ受信装置２に対して音声ミュートの無線信号を送信する（ステップＳＡ１４）。図１に示した音量３ｂでは、音声ミュートを示す「ｖｏｌ：０」が表示部３に表示されている。
【００５１】
この結果、現在受信している地上波デジタル放送の画像が表示パネル４から消去される。したがって、テレビ受信モードが連結受信モードに設定されると、ユーザは、受信する地上波デジタル放送の映像情報は外部の固定型のテレビ受信装置２の表示画面で見て、その音声情報は携帯電話装置１に接続されたステレオイヤホン９から聞くことになる。なお、地上波デジタル放送の画像が表示パネル４から消去されても、ランプ７の点灯はそのまま維持されて、地上波デジタル放送が受信中であることをユーザに認識させる。
【００５２】
次に、図９のフローチャートにおいて、下スイッチ５又は上スイッチ６によってチャンネル変更のスイッチ操作がされたか否かを判別し（ステップＳＡ１５）、チャンネル変更のスイッチ操作がされたときは、受信する地上波デジタル放送のチャンネルを変更する（ステップＳＡ１６）。このとき、ＭＯＤＥＦが「１」であるか否かを判別し（ステップＳＡ１７）、ＭＯＤＥＦが「１」である場合には、赤外線通信部１１１から外部の固定型のテレビ受信装置２に対してチャンネル変更の無線信号を送信する（ステップＳＡ１８）。すなわち、テレビ受信モードが連結受信モードである場合には、スイッチ操作に応じて受信するチャンネルを変更すると共に、外部の固定型のテレビ受信装置に対してもチャンネル変更を指示する。
【００５３】
図９において、ステップＳＡ１５でチャンネル変更のスイッチ操作がされない場合、又は、ステップＳＡ１７でＭＯＤＥＦが「０」すなわち通常受信モードである場合、若しくは、ステップＳＡ１８で外部の固定型のテレビ受信装置２に対してチャンネル変更の信号を送信した後は、上スイッチ６の決定スイッチ６ｅ（中央スイッチ）が所定時間未満（例えば、３秒未満）オンされたか否かを判別する（ステップＳＡ１９）。このスイッチが例えば１秒程度オンされたときは、現在受信中で固定型のテレビ受信装置２に表示されている映像情報や文字情報の画像を１フレームごとに画像処理回路１０３のＶＲＡＭから取り込んで、画像記憶部１１２に静止画として記憶する（ステップＳＡ２０）。さらに、記憶する静止画のデータに現在のデータである「年月日時間」、「チャンネル番号」などの付加情報を共に記憶する。
【００５４】
例えば、決定スイッチ６ｅが連続して１０回オンされたときは、１０フレームの静止画が画像記憶部１１２に記憶される。画像記憶部１１２に記憶可能なフレーム数が５１２フレームとし、決定スイッチ６ｅが連続して１０回オンされた時点で５０８フレームの静止画が既に記憶されている場合には、記憶された静止画の中から付加情報である「年月日時間」が古い６フレームの静止画が消去されて、新たに１０フレームの静止画が記憶される。
【００５５】
図９のステップＳＡ１９で決定スイッチ６ｅがオンされない場合、又は、ステップＳＡ２０で静止画を記憶した後は、上スイッチ６のメニュースイッチ６ｈがオンされたか否かを判別する（ステップＳＡ２１）。このスイッチがオンされない場合には、図８のフローチャートのステップＳＡ８に移行して、図９のステップＳＡ２１まで、上記したループを実行する。一方、ステップＳＡ２１において、メニュースイッチ６ｈがオンされたときは、ＭＯＤＥＦが「０」の通常受信モードにおいて表示パネル４に表示されているテレビ放送の画像を消去すると共にランプ７を消灯して（ステップＳＡ２２）、図８のステップＳＡ３に移行して、図１に示したメニュー画面を表示する。
【００５６】
図８のステップＳＡ１１で、ＭＯＤＥＦが「１」である場合には、ＭＯＤＥＦを「０」にリセットして（ステップＳＡ２３）、テレビ画面を表示パネル４に表示し（ステップＳＡ２４）、赤外線通信部１１１から外部のテレビ受信装置２に対して音声ミュートを解除する無線信号を送信する（ステップＳＡ２５）。そして、図９のフローチャートに移行して、ステップＳＡ１５以降の処理を実行する。
【００５７】
以上のように、この第１実施形態の携帯電話装置によれば、ＣＰＵ１０７は、決定スイッチ６ｅによって通常受信モードが設定されている場合には、チャンネル選択スイッチ６ｃ、６ｄが操作されたときは、その操作に応じて受信するテレビ放送のチャンネルを選択し、決定スイッチ６ｅによって連結受信モードが設定されている場合には、外部のテレビ受信装置２が音声を消音するための無線信号を送信し、チャンネル選択スイッチ６ｃ、６ｄが操作されたときは、その操作に応じて受信するテレビ放送のチャンネルを選択すると同時に、その操作に応じて外部のテレビ受信装置２が受信するテレビ放送のチャンネルを選択するための無線信号を送信する。
したがって、スイッチを新たに追加することなく、あるいは、スイッチの構成を変更することなく、周囲の人に迷惑をかけずに深夜の地上波デジタル放送などを楽しむことが可能な機能を付加することが可能になる。さらに、この場合においては、両手が自由になるので、ダンベル体操しながら、両手で片づけ物をしながら、キッチンで洗い物しながらでも、地上波デジタル放送を楽しむことができる。あるいは、地上波デジタル放送のニュース番組や音楽番組のように、音声だけを聞く場合には、野外で散歩しながらでも、地上波デジタル放送を楽しむことができる。なお、上記したように、携帯電話装置１以外の携帯端末装置の場合、例えば、携帯型のオーディオ装置や携帯型のラジオ受信装置をヘッドホン装置Ｈ２１に装着した場合でも、同様の効果が得られる。
【００５８】
次に、本発明の第２実施形態の携帯端末装置の発明について説明する。第２実施形態における携帯端末装置は、図２、図３及び図５に示した第１実施形態の携帯電話装置１と同じである。ただし、第２実施形態の場合には、ヘッドホン装置に装着せずに単独で使用するものである。図１０は、第２実施形態における携帯電話装置１の使用状態を示す図である。図１０において、携帯電話装置１のイヤホンコネクタ８には、ステレオイヤホン９が接続されている。また、表示パネル４には、２系統受信モードを示す文字４ｃが表示されている。以下、第２実施形態の携帯端末装置である携帯電話装置１の動作について、図１１乃至図１３を参照して説明する。ただし、図１１において、ステップＳＢ１からステップＳＢ７までの処理は、第１実施形態における図８のステップＳＡ１からステップＳＡ７までの処理と同じであるので、重複した説明は省略する。
【００５９】
ステップＳＢ７において、テレビ画面が表示パネル４に表示された後、決定スイッチ６ｅが所定時間（３秒間）以上オンされたか否かを判別する（ステップＳＢ８）。所定時間以上このスイッチがオンされたときは、ＲＡＭ１０９のモードフラグＭＯＤＥＦの値が「０（通常受信モード）」であるか又は「１（２系統受信モード）」であるかを判別する（ステップＳＢ９）。なお、イニシャライズにおいては、ＭＯＤＥＦの値は「０」である。ステップＳＢ９において、ＭＯＤＥＦの値が「０」である場合には、ＭＯＤＥＦを「１」にセットして（ステップＳＢ１０）、音声をミュートする（ステップＳＢ１１）。
【００６０】
次に、下スイッチ５のシャープ「＃」スイッチ５ｂ、アスタリスク「＊」スイッチ５ｃ、上スイッチ６のカーソルスイッチ６ａ、カーソルスイッチ６ｂのいずれかによって音量変更のスイッチ操作がされたか否かを判別する（ステップＳＢ１２）。音量変更のスイッチ操作がされたときは、ＭＯＤＥＦが「０」であるか又は「１」であるかを判別する（ステップＳＢ１３）。ＭＯＤＥＦが「０」である場合には、コネクタ８から出力する音量を変更する（ステップＳＢ１４）。一方、ＭＯＤＥＦが「１」である場合には、赤外線通信部１１１から外部のテレビ受信装置２に対して音量を変更する無線信号を送信する（ステップＳＢ１５）。
【００６１】
次に、図１２のフローチャートにおいて、上スイッチ６のカーソルスイッチ６ｃ若しくはカーソルスイッチ６ｄ、又は、下スイッチ５のテンキースイッチ５ａによって、チャンネル変更のスイッチ操作がされたか否かを判別する（ステップＳＢ１６）。チャンネル変更のスイッチ操作がされたときは、ＭＯＤＥＦが「１」であるか又は「０」であるかを判別する（ステップＳＢ１７）。
【００６２】
ＭＯＤＥＦが「１」である場合には、チャンネル変更のスイッチ操作が上スイッチ６によるものか又は下スイッチ５によるものかを判別する（ステップＳＢ１８）。上スイッチ６（カーソルスイッチ６ｃ又はカーソルスイッチ６ｄ）によってチャンネル変更のスイッチ操作がされたときは、その変更されたチャンネルをＲＡＭ１０９のレジスタＣＨ１にストアして（ステップＳＢ１９）、ＣＨ１にストアされたチャンネルのテレビ放送を受信する（ステップＳＢ２０）。
【００６３】
一方、下スイッチ５（テンキースイッチ５ａ）によってチャンネル変更のスイッチ操作がされたときは、その変更されたチャンネルをＲＡＭ１０９のレジスタＣＨ２にストアして（ステップＳＢ２１）、赤外線通信部１１１から外部のテレビ受信装置２に対して、ＣＨ２にストアされたチャンネルのテレビ放送を受信するための無線信号を送信する（ステップＳＢ２２）。
【００６４】
ステップＳＢ２２において無線信号を送信した後、若しくは、ステップＳＢ２０においてテレビ放送を受信した後、又は、ステップＳＢ１６においてチャンネル変更のスイッチ操作がされない場合には、上スイッチ６の決定スイッチ６ｅが所定時間未満、例えば、１秒程度の間オンされたか否かを判別する（ステップＳＢ２３）。このスイッチが所定時間未満オンされたときは、ＭＯＤＥＦが「１」であるか又は「０」であるかを判別する（ステップＳＢ２４）。
【００６５】
ＭＯＤＥＦが「１」である場合には、ＣＨ２にストアされているチャンネルをＲＡＭ９のレジスタＣＨ３にストアし、ＣＨ１にストアされているチャンネルをＣＨ２にストアし、ＣＨ３にストアしたチャンネルをＣＨ１にストアする（ステップＳＢ２５）。次に、赤外線通信部１１１から外部のテレビ受信装置２に対して、ＣＨ２のチャンネルに変更するための無線信号を送信する（ステップＳＢ２６）。また、ＣＨ１のチャンネルのテレビ放送を受信する（ステップＳＢ２７）。
【００６６】
すなわち、ＭＯＤＥＦが「１」の２系統受信モードの場合においては、決定スイッチ６ｅが所定時間未満オンされる毎に、携帯電話装置１で受信しているテレビ放送のチャンネルと、外部のテレビ受信装置２で受信しているテレビ放送のチャンネルとを入れ替えるように制御する。例えば、携帯電話装置１が地上波デジタル放送のチャンネル「１」を受信中で、外部のテレビ受信装置２が地上波デジタル放送のチャンネル「３」を受信中である場合に、決定スイッチ６ｅが例えば１秒程度オンされると、携帯電話装置１は地上波デジタル放送のチャンネル「３」を受信するように切り替わり、外部のテレビ受信装置２は地上波デジタル放送のチャンネル「１」を受信するように切り替わる。この後、再び決定スイッチ６ｅが所定時間未満オンされると、携帯電話装置１は地上波デジタル放送のチャンネル「１」を受信するように切り替わり、外部のテレビ受信装置２は地上波デジタル放送のチャンネル「３」を受信するように切り替わる。
【００６７】
ステップＳＢ２７において受信するチャンネルを入れ替えた後、又は、ステップＳＢ２４においてＭＯＤＥＦが「０」すなわち通常受信モードである場合、若しくは、ステップＳＢ２３において決定スイッチ６ｅがオンされない場合には、図１３のフローチャートにおいて、上スイッチ６のメニュースイッチ６ｈがオンされたか否かを判別する（ステップＳＢ２８）。
【００６８】
このスイッチがオンされない場合には、テンキースイッチ「０」がオンされたか否かを判別する（ステップＳＢ２９）。このスイッチがオンされたときは、ＣＨ１にストアされているチャンネルをＲＡＭ１０９のレジスタＣＨ３にストアし（ステップＳＢ３０）、ＣＨ２にストアされているチャンネルをＣＨ１にストアし（ステップＳＢ３１）、ＣＨ１のチャンネルを受信する（ステップＳＢ３２）。そして、受信しているテレビ放送の映像情報や文字情報の画像を１フレームごとに画像処理回路１０３のＶＲＡＭから取り込んで、画像記憶部１１２に静止画として記憶する（ステップＳＢ３３）。この記憶した静止画は、固定型のテレビ受信装置２に現在表示されている映像情報や文字情報の画像に他ならない。
【００６９】
ステップＳＢ３３において静止画を記憶した後は、ＣＨ３にストアしたチャンネルをＣＨ１にストアして元のチャンネルに戻し（ステップＳＢ３４）、ＣＨ１のチャンネルのテレビ放送を再び受信する（ステップＳＢ３５）。したがって、ステップＳＢ３１においてＣＨ２のチャンネルをＣＨ１に一時的にストアして、固定型のテレビ受信装置２と同じチャンネルを受信して、そのチャンネルの映像情報や文字情報の画像を記憶した後は、テンキースイッチ「０」がオンされる前のチャンネルに戻す。
【００７０】
すなわち、ユーザが固定型のテレビ受信装置２に表示されている映像情報や文字情報の画像を静止画として録画したい場合には、テンキースイッチ「０」をオンすることによって、その表示されている映像情報や文字情報のテレビ放送のチャンネルに携帯電話装置１の受信チャンネルを固定型のテレビ受信装置２と同じチャンネルに一時的に切り替えて、現在固定型のテレビ受信装置２に表示されている映像情報や文字情報の画像を静止画として画像記憶部１１２に静止画として記憶する。この場合において、現在のデータである「年月日時間」、「チャンネル番号」などの付加情報を静止画と共に記憶する。記憶した後は、再び元のチャンネルのテレビ放送の受信に切り換える。
【００７１】
テレビ受信モードにおいては、テンキースイッチ「０」〜「９」はチャンネルの選択の用途として機能するが、チャンネル「０」というものは存在しないので、テンキースイッチ「０」が単独でオンされることはない。しかし、この第２実施形態においては、テンキースイッチ「０」が単独でオンされたときは、静止画を記憶するための用途として機能する。例えば、テンキースイッチ「０」が連続して１０回オンされたときは、１０フレームの静止画が画像記憶部１１２に記憶される。画像記憶部１１２に記憶可能なフレーム数が５１２フレームとし、テンキースイッチ「０」が連続して１０回オンされた時点で５１０フレームの静止画が既に記憶されている場合には、記憶された静止画の中から付加情報である「年月日時間」が古い８フレームの静止画が消去されて、新たに１０フレームの静止画が記憶される。
【００７２】
ステップＳＢ３５においてＣＨ１のチャンネルのテレビ放送を再び受信した後、又は、ステップＳＢ２９においてテンキースイッチ「０」がオンされない場合には、図１１のステップＳＢ８に移行して、図１３のステップＳＢ２８までのループを実行する。ステップＳＢ２８において、メニュースイッチ６ｈがオンされたときは、表示パネル４のテレビ画面を消去して（ステップＳＢ３６）、図１１のステップＳＢ３に移行して再びメニュー画面を表示する。
【００７３】
図１１のステップＳＢ９においてＭＯＤＥＦが「１」の場合には、ＭＯＤＥＦを「０」にリセットする（ステップＳＢ３７）。すなわち、テレビ受信モードを２系統受信モードから通常受信モードに設定する。そして、音声ミュートを解除する（ステップＳＢ３８）。この後は、ステップＳＢ１２に移行する。
【００７４】
以上のように、この第２実施形態の携帯電話装置によれば、ＣＰＵ１０７は、決定スイッチ６ｅによって通常受信モードが設定されている場合には、上スイッチ６のチャンネル選択スイッチであるカーソルスイッチ６ｃ、６ｄ、又は、下スイッチ５のチャンネル選択スイッチであるテンキースイッチ５ａが操作されたときは、その操作に応じて受信するテレビ放送のチャンネルを選択し、決定スイッチ６ｅによって２系統受信モードが設定されている場合には、カーソルスイッチ６ｃ、６ｄが操作されたときは、その操作に応じて受信するテレビ放送のチャンネルを選択し、テンキースイッチ５ａが操作されたときは、その操作に応じて外部の固定型のテレビ受信装置２が受信するテレビ放送のチャンネルを選択するための無線信号を送信するように赤外線通信部１１１を制御する。
したがって、スイッチを新たに追加することなく、あるいは、スイッチの構成を変更することなく、外部のテレビ受信装置２によって所望のチャンネルの番組を見ながら、手元の携帯電話装置１によって他のチャンネルの番組の内容をチェックすることが可能な機能を付加することができる。
【００７５】
例えば、チャンネル１でサッカーの試合の放送を見ている場合に、他のチャンネル３で好きな歌手が出演する音楽番組の放送があるが、その歌手が何時出演するか分からない場合に、２系統受信モードに設定して、固定型のテレビ受信装置２でチャンネル１を受信し、携帯電話装置１でチャンネル３を受信することにより、その歌手が出演するタイミングを把握できるので、そのタイミングで固定型のテレビ受信装置２をチャンネル３に合わせるような機能を付加することができる。
【００７６】
この場合において、ＣＰＵ１０７は、決定スイッチ６ｅの所定時間以上のオン操作によって２系統受信モードが設定されている場合において、その決定スイッチ６ｅが所定時間未満でオン操作されたときは、そのオン操作のたびに、現在受信しているテレビ放送のチャンネルを外部の固定型のテレビ受信装置２が選択するための無線信号を送信すると共に、現在外部のテレビ受信装置２が受信しているテレビ放送のチャンネルを携帯電話装置１で選択して、互いの受信チャンネルを入れ替える。
したがって、スイッチを新たに追加することなく、決定スイッチ６ｅをオン操作して、固定型のテレビ受信装置２で２つのチャンネルの番組を交互に見ることが可能な機能を付加することができる。
【００７７】
上記第１実施形態及び第２実施形態において、ＣＰＵ１０７は、ある特定の用途のスイッチがその用途の操作態様とは異なる態様で操作されたときは、受信するテレビ放送から得られる静止画を画像記憶部１１２に記憶する。すなわち、第１実施形態においては、所定時間（例えば、３秒間）以上オン操作することにより、通常受信モード及び連結受信モードのいずれか一方を設定する決定スイッチ６ｅを、所定時間未満オン操作することにより、受信するテレビ放送から得られる静止画を画像記憶部１１２に記憶することができる。一方、第２実施形態においては、「１」〜「９」までのいずれかのテンキースイッチのオン操作と併用してチャンネルを選択するテンキー「０」スイッチを、単独でオン操作することにより、受信するテレビ放送から得られる静止画を画像記憶部１１２に記憶することができる。
したがって、スイッチを新たに追加することなく、あるいは、スイッチの構成を変更することなく、受信するテレビ放送から得られる静止画を記憶することができる。例えば、後で利用したい文字情報や字幕情報などの画像を簡単な操作で記憶することができる。
【００７８】
なお、上記各実施形態においては、下本体と上本体とがスライドする構造の携帯電話装置を例に採って本発明を説明したが、本発明の適用範囲はこのようなスライド式の携帯電話装置に限定されるものではない。例えば、下部本体と上部本体とがヒンジによって開閉可能な構造の携帯電話装置にも適用することができる。例えば、現在市販されている開閉式の携帯電話装置の上本体が表示部を構成し、スイッチ部が下本体だけに設けられている場合でも、図１に示したような、４個のカーソルスイッチ及び中央スイッチと同じ機能のスイッチがそのスイッチ部に設けられている。したがって、本発明を適用すれば、新たにスイッチを設けることなく、各実施形態と同様の機能が得られることは明らかである。
【００７９】
以上のように、上記各実施形態においては、スイッチを新たに追加する又はスイッチの構造を変更することなく、現在のハードウェア資源を有効に活用することにより優れた効果が得られる。
特に、第２実施形態の場合には、現在の携帯端末装置におけるチャンネルの選択手段として、直接選択するスイッチと順次選択するスイッチの２系統が具備されていることに着目して、これらを独立して且つ同時に操作するように構成することで、極めて容易な操作によって、外部のテレビ受信装置によって所望のチャンネルの番組を見ながら、手元の携帯端末装置によって他のチャンネルの番組の内容をチェックし、所定のスイッチをワンタッチで操作する毎に、外部のテレビ受信装置が受信するチャンネルと携帯端末装置が受信するチャンネルとを入れ替えることが可能になるという有利な効果が得られる。
これに対して、従来の技術においては、これら２系統のチャンネル選択手段を並列的に使用しているので、外部のテレビ受信装置によって所望のチャンネルの番組を見ながら、手元の携帯端末装置によって他のチャンネルの番組の内容をチェックして、外部のテレビ受信装置が受信するチャンネルと携帯端末装置が受信するチャンネルとを入れ替えるためには、特許文献４や特許文献５に見られるように、新たに別のモード切換スイッチを追加しなければならない。あるいは、上記引用文献には記載されていないが、仮に、現在の他のスイッチをモード切換に兼用するとしても、現在のモードの状態を表示部に表示することが必要であり、ユーザはその表示を確認しながらチャンネル選択をしなければならず、煩雑な操作になってしまう。また、プログラムの処理においては、チャンネル選択の操作がなされたときは、常に現在のモードを確認する処理を実行した後に、チャンネル選択の処理を実行することになる上、モード切換のたびに表示を切り換える処理が必要になる。
【００８０】
なお、平成１９年７月２１日現在の特許庁の電子図書館の公報テキスト検索において、
（携帯電話、携帯端末、携帯通信、リモコン）ＡＮＤ
（テレビ）ＡＮＤ
（チャンネル選択、選局）ＡＮＤ
（スイッチ、キー、ボタン）
のキーワードでの検索結果は、「２９９」件であるが、さらにキーワードを追加して、
（携帯電話、携帯端末、携帯通信、リモコン）ＡＮＤ
（テレビ）ＡＮＤ
（チャンネル選択、選局）ＡＮＤ
（スイッチ、キー、ボタン）ＡＮＤ
（２系統、２つの系統、複数系統、複数の系統、２つの動作モード、複数の動作モード）
で検索した結果、該当する文献は「１」件だけであった。
その１件は、特開平０７−１９３７５６号公報であるが、この文献に開示されているのは、２つの受信系統（チューナなど）を有する発明であり、本願発明とは全く異なるものである。
出願人が調査した限りでは、本願発明のように、２系統のチャンネル選択スイッチを独立して且つ同時に操作するように構成したものを開示した先行技術文献は検索することができなかった。
【図面の簡単な説明】
【００８１】
【図１】各実施形態の携帯電話装置を適用したシステム構成を示す図である。
【図２】図１の携帯電話装置の正面図である。
【図３】図１の携帯電話装置の側面図である。
【図４】図１の携帯電話装置の内部構成を示す概略ブロック図である。
【図５】図１の携帯電話装置の表示パネルに表示されたテレビ受信モードのアイコンを示す図である。
【図６】第１実施形態の携帯電話装置を装着可能なヘッドホン装置の外観図である。
【図７】第１実施形態の動作を示すＣＰＵのフローチャートである。
【図８】図７に続く第１実施形態の動作を示すＣＰＵのフローチャートである。
【図９】第１実施形態の変形例におけるヘッドホン装置の外観図である。
【図１０】第２実施形態における携帯電話装置の使用状態を示す図である。
【図１１】第２実施形態の動作を示すＣＰＵのフローチャートである。
【図１２】図１１に続く第２実施形態の動作を示すＣＰＵのフローチャートである。
【図１３】図１２に続く第２実施形態の動作を示すＣＰＵのフローチャートである。
【符号の説明】
【００８２】
１  携帯電話装置
２  固定型のテレビ受信装置
３  固定型のテレビ受信装置の表示部
４  携帯電話装置の表示パネル
５  下スイッチ
６  上スイッチ
８  イヤホンコネクタ
９  ステレオイヤホン
１０３  画像処理回路
１０６  音声増幅回路
１０７  ＣＰＵ
１１１  赤外線通信部
１１２  画像記憶部
Ｈ２１  ヘッドホン装置
Ｈ２２  装着部
Ｈ２５  ケーブル
Ｈ２６  コネクタ
Ｈ２７  スピーカ
Ｈ２８  支持部材
【図１】
2009027573.tif 000003
【図２】
2009027573.tif 000004
【図３】
2009027573.tif 000005
【図４】
2009027573.tif 000006
【図５】
2009027573.tif 000007
【図６】
2009027573.tif 000008
【図７】
2009027573.tif 000009
【図８】
2009027573.tif 000010
【図９】
2009027573.tif 000011
【図１０】
2009027573.tif 000012
【図１１】
2009027573.tif 000013
【図１２】
2009027573.tif 000014
【図１３】
2009027573.tif 000015